(57)【特許請求の範囲】
【請求項１】
１枚ずつ引き抜き可能に所定の位置に吊り下げられた販促支援・宣伝媒体収納袋において、
吊り下げ時に上側に位置する角部近傍に吊り下げ用の孔が設けられると共に、上側縁辺及び左右の側縁辺は開封不能に密封シールされ、かつ、下側縁辺は開封可能に形成され、一方の面には、明度差があり、かつ、輝度の高い着色材料により内部に収納された販促支援・宣伝媒体に関連する商品画像が形成され、もう一方の面は透明で、内部に収納された販促支援・宣伝媒体が視認可能である販促支援・宣伝媒体収納袋において、
前記下側縁辺は、もう一方の面が一方の面より長く延設されて折り返し部が形成され、該折り返し部の内側面は横方向に接着層が形成され、一方の面の下側縁辺を包むようにして折り返されて一方の面に固着され、折り返し部近傍には、ミシン目状の切れ目線が横方向に穿設されていることを特徴とする販促支援・宣伝媒体収納袋。
【請求項２】
前記収納袋の一方の面に形成される販促支援・宣伝媒体に関連する商品画像が、印刷、蒸着、スパッタリングのいずれか一つの方法又はいくつかの方法の組み合わせにより形成されていることを特徴とする請求項１記載の販促支援・宣伝媒体収納袋。
【請求項３】
前記収納袋の一方の面に形成される販促支援・宣伝媒体に関連する商品画像の形成方法が、印刷を施したプラスチックフィルムの印刷面と蒸着を施したプラスチックフィルムの蒸着面とを貼り合わせた方法によることを特徴とする請求項１又は２記載の販促支援・宣伝媒体収納袋。
【請求項４】
前記明度の大きく異なる複数の着色材料が、銀色を下地とし、その上に青色、赤色、白色の各色の組み合わせにより形成されているものであることを特徴とする請求項１〜３のいずれか１項に記載の販促支援・宣伝媒体収納袋。
【発明の詳細な説明】
【０００１】
【発明の属する技術分野】
本発明は、１枚ずつ引き抜き可能に所定の位置に吊り下げられるキャンペーン応募用のはがきやチラシ等の販売促進を支援する宣伝媒体の収納袋に関する。
【０００２】
【従来の技術】
従来のキャンペーン応募用はがきやチラシ等の販促支援・宣伝媒体は、ただ単に透明な袋に収納されているだけであった。
この場合には、袋の内部に収納されている販促支援・宣伝媒体を袋を開封することなく内容物を確認することはできるが、通常、上記媒体に人目を引くような輝度の高いインキや明度差の大きいインキを用いて印刷することはなく、従って、人目にふれても気づかれにくく、また、商品の宣伝という観点からは不十分なものであった。
【０００３】
【発明が解決しようとする課題】
本発明は、キャンペーン応募用はがきやチラシ等の販促支援・宣伝媒体の収納袋に関する以上のような問題点に着目してなされたもので、その存在自体に気づき易く、かつ、収納袋に近づいたのみで収納されている販促支援・宣伝媒体の内容がわかり、思わず収納されている販促支援・宣伝媒体を取り出したくなるような宣伝効果の有る収納袋を提供することを課題とする。
【０００４】
【課題を解決するための手段】
本発明の請求項１の発明は、１枚ずつ引き抜き可能に所定の位置に吊り下げられた販促支援・宣伝媒体収納袋において、吊り下げ時に上側に位置する角部近傍に吊り下げ用の孔が設けられると共に、上側縁辺及び左右の側縁辺は開封不能に密封シールされ、かつ、下側縁辺は開封可能に形成され、一方の面には、明度差があり、かつ、輝度の高い着色材料により内部に収納された販促支援・宣伝媒体に関連する商品画像が形成され、もう一方の面は透明で、内部に収納された販促支援・宣伝媒体が視認可能である販促支援・宣伝媒体収納袋において、前記下側縁辺は、もう一方の面が一方の面より長く延設されて折り返し部が形成され、該折り返し部の内側面は横方向に接着層が形成され、一方の面の下側縁辺を包むようにして折り返されて一方の面に固着され、折り返し部近傍には、ミシン目状の切れ目線が横方向に穿設されていることを特徴とする販促支援・宣伝媒体収納袋である。
【０００５】
このように、上側縁辺及び左右の側縁辺は開封不能に密封シールされ、かつ、下側縁辺は開封可能に形成されているので、下側縁辺を開封して収納物を下方に引っ張るだけで収納物を引き抜くことができる。
【０００６】
また、一方の面は、明度差があり、かつ、輝度の高い着色材料により内部に収納した販促支援・宣伝媒体に関連する商品画像が形成され、もう一方の面は、透明で内部に収納された販促支援・宣伝媒体が視認可能であるので、何に関する情報を訴えているのか、また、どんな販促支援・宣伝媒体が袋に収納されているのかが、収納袋を外から見るのみで容易に判別することができる。
このように、下側縁辺は、もう一方の面が一方の面より長く延設されて折り返し部が形成され、該折り返し部の内側面は横方向に接着層が形成され、一方の面の下側縁辺を包むようにして折り返されて一方の面に固着され、折り返し部近傍には、ミシン目状の切れ目線が横方向に穿設されているので、折り返し部を剥がして、ミシン目状の切れ目線に沿って折り返し部を切り取ることにより、包装袋の下側縁辺を開封することができ、包装袋に収納されている販促支援・宣伝媒体を容易に引き抜くことができる。
【０００７】
また、請求項２の発明は、請求項１の発明において、前記収納袋の一方の面に形成される販促支援・宣伝媒体に関連する商品画像が、印刷、蒸着、スパッタリングのいずれか一つの方法又はいくつかの方法の組み合わせにより形成されていることを特徴とする請求項１記載の販促支援・宣伝媒体収納袋である。
【０００８】
また、請求項３の発明は、請求項１又は２記載の発明において、前記収納袋の一方の面に形成される販促支援・宣伝媒体に関連する商品画像の形成方法が、印刷を施したプラスチックフィルムの印刷面と蒸着を施したプラスチックフィルムの蒸着面とを貼り合わせた方法によることを特徴とする販促支援・宣伝媒体収納袋である。
【０００９】
このように、収納袋の一方の面に形成される販促支援・宣伝媒体に関連する商品画像が、印刷、蒸着、スパッタリングのいずれか一つの方法又はいくつかの方法の組み合わせにより形成されている、さらには、印刷を施したプラスチックフィルムの印刷面と蒸着を施したプラスチックフィルムの蒸着面とを貼り合わせた方法によるので、収納袋を見た人は、媒体の存在に直ぐに気がつく。
【００１０】
また、請求項４の発明は、請求項１、２又は３記載の発明において、前記明度の大きく異なる複数の着色材料が、銀色を下地とし、その上に青色、赤色、白色の各色の組み合わせにより形成されているものであることを特徴とする販促支援・宣伝媒体収納袋である。
【００１３】
【発明の実施の形態】
本発明の販促支援・宣伝媒体収納袋を一実施形態に基づいて以下に詳細に説明する。
本発明の販促支援・宣伝媒体収納袋は、例えば、図１（ａ）、（ｂ）、（ｃ）に示すように、吊り下げ時に上側に位置する角部近傍に吊り下げ用の孔（１４）が設けられると共に、上側縁辺（１１）及び左右の側縁辺（１２）は開封不能に密封シールされ、かつ、下側縁辺（１３）は開封可能に形成されているものである。
【００１４】
すなわち、下側縁辺（１３）は、もう一方の面（１６）が一方の面（１５）より長く延設されて折り返し部（１８）が形成され、この折り返し部の内側面は横方向に接着層（１９）が形成され、一方の面の下側縁辺を挟み込むようにして一方の面の外側面に固着され、折り返し部近傍には、ミシン目状の切れ目線（ａ）が横方向に穿設された構成としたものである。
【００１５】
そして、一方の面（１５）には、明度の大きく異なる複数の着色材料により内部に収納した販促支援・宣伝媒体（２０）に関連する商品画像（１６）が形成され、もう一方の面（１７）は透明で、内部に収納された販促支援・宣伝媒体が視認可能な販促支援・宣伝媒体収納袋（１０）である。
【００１６】
収納袋の一方の面ともう一方の面は、熱封緘性を有し、透明性、耐候性に優れた、未延伸ポリプロピレン（ＣＰＰ）フィルム等の一般的に公知のプラスチックフィルムを使用することができる。
【００１７】
収納袋の一方の面（１５）に形成される販促支援・宣伝媒体に関連する商品画像（１６）は、印刷法、蒸着法、スパッタリング法のいずれか一つの方法、又はそれらの方法を組み合わせた方法により形成することができる。
商品画像（１６）は、目立つ色、すなわち、明度の大きく異なる複数の着色材料（例えば、高輝度の金色、銀色を下地とし、その上に青色、赤色、白色の各色を組み合わせて形成された着色材料）を使用して形成することで見た人がすぐに気づくことができ、また、宣伝効果を高めることができる。
また、商品画像（１６）は、一方の面の全面に設けても、一部に設けてもどちらでも構わないが、宣伝効果等を考慮すると、大きな面積を有するようにした方が好ましい。
【００１８】
例えば、図２に示すように、印刷層（１０２）を形成させた一軸延伸ポリプロピレン（ＯＰＰ）フィルム（１０１）と蒸着層（１０４）を形成させたＣＰＰフィルム（１０３）とを、印刷層と蒸着層を対向させて貼り合わせて積層フィルム（１００）とする方法などは、高級感があり、店頭等におけるアイキャッチ効果が高く、消費者に対するアピール効果は高く好ましい画像形成方法である。
【００１９】
そして、一方の面（１５）に上記積層フィルム（１００）を使用し、もう一方の面（１７）に透明なＣＰＰフィルム（２００）を使用し、積層フィルム（１００）のＣＰＰフィルム（１０３）面に透明なＣＰＰフィルム（２００）を重ねて、上側縁辺と左右の側縁辺を高周波シール法等の公知のシール方法によりシールする。
【００２０】
なお、包装袋にした際に、もう一方の面となる、透明なＣＰＰフィルム（２００）の折り返し部（１８）の内側面には、横方向にゴム系を主成分とする粘着剤による接着層（１９）が形成され、また、折り返し部の近傍には、接着層と平行にミシン目状の切れ目線（ａ）を穿設しておく。
【００２１】
包装袋に収納される販促支援・宣伝媒体（２０）としては、例えば、キャンペーン用の応募はがきやチラシなど販売促進を支援する宣伝媒体がある。
【００２２】
複数枚の販促支援・宣伝媒体（２０）の一つの隅角に孔を開け、また、収納袋の吊り下げ時に上側に位置する角部近傍にも吊り下げ用の孔（１４）を開け、収納された複数枚の販促支援・宣伝媒体（２０）とその収納袋（１０）とを孔を通して吊り下げ紐（３０）を通しておく。
【００２３】
実際の使用形態の一例を図３に示す。
吊り下げ紐のついた販促支援・宣伝媒体の収納された収納袋（１０）を下側縁辺の折り返し部（１８）を剥がしてミシン目状の切れ目線（ａ）から下の折り返し部を切り離し、下側縁辺を開放状態にしてから自動販売機（４０）の良く目のとまりやすい箇所に吊り下げ設置する。
【００２４】
自動販売機を利用しようとした人は、明度差の大きく異なる着色材料を用いて形成されている商品画像に直ぐ気がつき、キャンペーン応募はがき等の販促支援・宣伝媒体を包装袋の下側縁辺から直ぐに引き抜くことができる。
【００２５】
【発明の効果】
上記のように、本発明の販促支援・宣伝媒体収納袋によれば、明度差の大きく異なる着色材料を用いて商品画像を形成しているので、見た人が媒体の存在に直ぐに気づくと共に、何のキャンペーン又は宣伝をしているかも直ぐに理解できる。
包装袋の上側縁辺と左右の側縁辺は開封不能にシールされているので、屋外に吊り下げた際であっても、収納されている販促支援・宣伝媒体が風雨により汚れることはない。
【図面の簡単な説明】
【図１】本発明の販促支援・宣伝媒体収納袋の一実施例を示す、（ａ）は斜視説明図であり、（ｂ）は（ａ）のＡ−Ａ’線断面説明図であり、（ｃ）は下縁辺の延設部を折り返す前の状態を示す、斜視説明図である。
【図２】本発明の販促支援・宣伝媒体収納袋（を構成する）の層構成の一例を断面で示す、模式説明図である。
【図３】本発明の販促支援・宣伝媒体収納袋の使用状態を示す説明図である。
【符号の説明】
１０‥‥販促支援・宣伝媒体収納袋
１１‥‥上側縁辺
１２‥‥側縁辺
１３‥‥下側縁辺
１４‥‥吊り下げ用の孔
１５‥‥一方の面
１６‥‥商品画像
１７‥‥もう一方の面
１８‥‥折り返し部
１９‥‥接着層
２０‥‥販促支援・宣伝媒体
３０‥‥吊り下げ紐
４０‥‥自動販売機
１００‥‥積層フィルム
１０１‥‥ＯＰＰフィルム
１０２‥‥印刷層
１０３‥‥ＣＰＰフィルム
１０４‥‥蒸着層
２００‥‥透明なＣＰＰフィルム
ａ‥‥ミシン目状の切れ目線
【図１】
0004026340.tif 000002
【図２】
0004026340.tif 000003
【図３】
0004026340.tif 000004